(57)【要約】【課題】省電力状態から、キー入力操作によって異なる待機状態または、動作開始へ遷移させる場合、ユーザへの負担が少ない画像読取装置、その制御方法、制御プログラムおよび記憶媒体を提供することを目的とするものである。【解決手段】複数の機能のうちで、実行する機能を選択するためにキー操作する操作手段と、上記省電力状態であるときに、キー入力操作したことを検出するキー入力操作検出手段と、上記省電力状態であるときに、キー入力操作すると、このキー入力操作に応じた機能の初期画面に遷移する遷移制御手段とを有する画像読取装置である。【選択図】図１
2007194874.tif 000002
【特許請求の範囲】
【請求項１】
読取り対象である原稿を照射する光源を含む画像読取装置の全体へ電力を供給する待機状態から、上記光源への電力供給を停止する省電力状態へ遷移させ、また、上記省電力状態から上記待機状態へ復帰させる画像読取装置であって、
上記光源を制御する光源制御手段と；
複数の機能のうちで、実行する機能を選択するためにキー操作する操作手段と；
上記省電力状態であるときに、キー入力操作したことを検出するキー入力操作検出手段と；
上記省電力状態であるときに、キー入力操作すると、このキー入力操作に応じた機能の初期画面に遷移する遷移制御手段と;
を有することを特徴とする画像読取装置。
【請求項２】
読取り対象である原稿を照射する光源を含む画像読取装置の全体へ電力を供給する待機状態から、上記光源への電力供給を停止する省電力状態へ遷移させ、また、上記省電力状態から上記待機状態へ復帰させる画像読取装置の制御方法であって、
上記光源を制御する光源制御工程と；
複数の機能のうちで、実行する機能を選択するキー操作であって、上記省電力状態であるときに、キー入力操作したことを検出するキー入力操作検出工程と；
上記省電力状態であるときに、キー入力操作すると、このキー入力操作に応じた機能の初期画面に遷移させる遷移制御工程と;
を有することを特徴とする画像読取装置の制御方法。
【請求項３】
読取り対象である原稿を照射する光源を含む画像読取装置の全体へ電力を供給する待機状態から、上記光源への電力供給を停止する省電力状態へ遷移させ、また、上記省電力状態から上記待機状態へ復帰させる画像読取装置の制御プログラムであって、
上記光源を制御する光源制御手順と；
複数の機能のうちで、実行する機能を選択するキー操作であって、上記省電力状態であるときに、キー入力操作したことを検出するキー入力操作検出手順と；
上記省電力状態であるときに、キー入力操作すると、このキー入力操作に応じた機能の初期画面に遷移させる遷移制御手順と;
を画像読取装置に実行させるプログラム。
【請求項４】
読取り対象である原稿を照射する光源を含む画像読取装置の全体へ電力を供給する待機状態から、上記光源への電力供給を停止する省電力状態へ遷移させ、また、上記省電力状態から上記待機状態へ復帰させる画像読取装置の制御プログラムであって、
上記光源を制御する光源制御手順と；
複数の機能のうちで、実行する機能を選択するキー操作であって、上記省電力状態であるときに、キー入力操作したことを検出するキー入力操作検出手順と；
上記省電力状態であるときに、キー入力操作すると、このキー入力操作に応じた機能の初期画面に遷移させる遷移制御手順と;
を画像読取装置に実行させるプログラムを記録したコンピュータ読取可能な記憶媒体。
【発明の詳細な説明】
【技術分野】
【０００１】
本発明は、イメージスキャナ装置、ファクシミリ装置等における画像読取装置およびその制御方法に係り、特に、原稿を照射する光源を省電力制御する画像読取装置、画像読取装置の制御方法、画像読取装置の制御プログラムおよび記憶媒体に関する。
【背景技術】
【０００２】
省電力モード等において、キー操作することによって、装置が立ち上がる仕組みが知られている（たとえば、特許文献１参照）。
【０００３】
上記従来例は、キーが入力された場合、一律の立ち上がり方法、たとえば常に装置の初期状態に移行する立ち上がり方法を実行し、つまり、キー入力によって、ある特定の動作モードの待機状態に常に移行する装置が知られている。
【特許文献１】特開平１１−２７５７５８号公報
【発明の開示】
【発明が解決しようとする課題】
【０００４】
しかし、上記従来技術では、どのようなキー操作をしても、画像読取装置が立ち上がった時の状態は、常に同じであるので、動作モード切替キーを押下しても、動作モードを変更せずに待機状態に移行するだけである。
【０００５】
つまり、上記従来例において、モード変更するためには、初期状態に立ち上がった後に、ユーザが動作モードキーを再度押下しなければならないので、ユーザに負担がかかるという問題がある。
【０００６】
すなわち、上記従来例において、モード変更する（省電力状態から、キー入力操作によって異なる待機状態または、動作開始へ遷移させる）ためには、１回目の操作で初期状態（動作設定が可能な状態）へ移行させ、２回目の操作で立ち上がる。したがって、上記従来例では、ユーザへの負担がかかるという問題がある。
【０００７】
本発明は、省電力状態から、キー入力操作によって異なる待機状態または、動作開始へ遷移させる場合、ユーザへの負担が少ない画像読取装置、その制御方法、制御プログラムおよび記憶媒体を提供することを目的とするものである。
【課題を解決するための手段】
【０００８】
本発明は、読取り対象である原稿を照射する光源を含む画像読取装置の全体へ電力を供給する待機状態から、上記光源への電力供給を停止する省電力状態へ遷移させ、また、上記省電力状態から上記待機状態へ復帰させる画像読取装置であって、
上記光源を制御する光源制御手段と；
複数の機能のうちで、実行する機能を選択するためにキー操作する操作手段と；
上記省電力状態であるときに、キー入力操作したことを検出するキー入力操作検出手段と；
上記省電力状態であるときに、キー入力操作すると、このキー入力操作に応じた機能の初期画面に遷移する遷移制御手段と;
を有することを特徴とする画像読取装置である。
【発明の効果】
【０００９】
本発明によれば、省電力状態から、キー入力操作によって待機状態に遷移する場合、遷移させる待機画面を、キー入力情報に応じて、変更し、または、キー入力情報に応じて、動作開始するので、ユーザの操作性が向上するという効果を奏する。
【発明を実施するための最良の形態】
【００１０】
発明を実施するための最良の形態は次の実施例である。
【実施例１】
【００１１】
図１は、本発明の実施例１であるＭＦＰ１００を示すブロック図である。
【００１２】
ＭＦＰ１００は、Ｍｕｌｔｉ  Ｆｕｎｃｔｉｏｎ  Ｐｅｒｉｐｈｅｒａｌ（多機能周辺機器）であり、スキャニング機能と、プリンティング機能と、コピー機能とを併せ持つ。
【００１３】
また、ＭＦＰ１００は、ＣＰＵ１と、ＲＯＭ２と、プリンタ３と、ＳＲＡＭ４と、ＤＲＡＭ５と、イメージプロセッサ６と、イメージセンサ７と、操作パネル８と、ディスプレイ９と、ＰＣ  Ｉ／Ｆ１０と、ＰＣ１１とを有する。
【００１４】
ＣＰＵ１は、ＭＦＰ１００のシステム制御部であり、ＭＦＰ１００の全体を制御する。
【００１５】
ＲＯＭ２は、ＭＦＰ１００のシステム制御プログラムを格納するものである。
【００１６】
なお、ＣＰＵ１は、ＲＯＭ２に格納されている制御プログラムに基づいて、ＭＦＰ１００に関する各種の動作を実行する。このようなＣＰＵ１の制御プログラムは、ＲＯＭ２に格納されている場合に限らず、フロッピー（登録商標）ディスクやＣＤ−ＲＯＭ等による外部の記憶媒体に記憶されていてもよい。上記ＣＰＵ１の制御プログラムを、専用の読取装置によって、ＭＦＰ１００のＲＡＭ（たとえばＳＲＡＭ４）に取り込み、これをＣＰＵ１が解読し、実行するようにしてもよい。
【００１７】
プリンタ３は、入力された画像データを記録紙に印字する。
【００１８】
ＳＲＡＭ４は、主に、ＭＦＰ１００の登録データ等を格納する。
【００１９】
ＤＲＡＭ５は、主に、画像データを格納する。
【００２０】
イメージプロセッサ６は、イメージセンサ７によって入力された画像データに各種画像処理を施すものである。
【００２１】
イメージセンサ７は、原稿上の画像の読取りを行う接触型読取りセンサ等である。
【００２２】
操作パネル８は、ＭＦＰ１００の状態等を表示するディスプレイ９を有し、オペレータからの動作指示入力や、各種データ登録や、ディスプレイ９を通じたＭＦＰ１００の状態確認を行うためのものである。
【００２３】
ＰＣ  Ｉ／Ｆ１０は、ＭＦＰ１００とＰＣ１１とを接続するインタフェースであり、ＰＣ１１は、これを介して、ＭＦＰ１００の各種設定データ変更や各種動作の起動要求を行うホストコンピュータである。
【００２４】
図２は、ＭＦＰ１００の操作パネル８の構成を示す図である。
【００２５】
操作パネル８は、電源キー２１と、ＬＣＤ２２と、モード切替キー２３と、メニューキー２４と、ファンクションキー２５と、フォトインデックスシートキー２６と、選択キー２７、２８と、セットキー２９と、ディレクトリキー３０とを有する。また、操作パネル８は、リダイアル／ポーズキー３１と、テンキー３２と、ストップキー３３と、モノクロスタートキー３４と、カラースタートキー３５とを有する。
【００２６】
電源キー２１は、ＭＦＰ１００の電源のＯＮ／ＯＦＦを行うものである。
【００２７】
ＬＣＤ２２は、ＭＦＰ１００の状態や設定項目を表示する表示装置である。
【００２８】
モード切替キー２３は、ＭＦＰ１００のスタンバイ状態を、コピーモード、ファックスモード、スキャナモード、フォトモードのうちで、所定のモードに切り替えるキーである。
【００２９】
メニューキー２４によって、ＭＦＰ１００の各種設定を行うことができ、選択キー２７、２８で設定を選択する。
【００３０】
ファンクションキー２５は、プリンタの設定等、各種設定を行うキーである。
【００３１】
フォトインデックスシートキー２６は、フォトナビシートの出力とスキャンとを行うキーである。なお、上記フォトナビシートは、ＤＲＡＭ５に格納されている画像を選択的に印刷指示するためのシートである。
【００３２】
セットキー２９は、ＭＦＰ１００の各種設定項目の設定を決定するキーである。
【００３３】
リダイアル／ポーズキー３１は、ファックスのリダイアルを行うキーである。
【００３４】
テンキー３２は、コピー枚数等の数値を入力するキーである。
【００３５】
ストップキー３３は、ＭＦＰ１００の動作を停止させるキーである。
【００３６】
モノクロスタートキー３４は、ＭＦＰ１００でモノクロ読取りを開始させるキーである。カラースタートキー３５は、ＭＦＰ１００でカラー読取りを開始させるキーである。
【００３７】
なお、上記実施例は、読取り対象である原稿を照射する光源を含む画像読取装置の全体へ電力を供給する待機状態から、上記光源への電力供給を停止する省電力状態へ遷移させ、また、上記省電力状態から上記待機状態へ復帰させる画像読取装置の例である。
【００３８】
また、ＣＰＵ１とＲＯＭ２とは、光源を制御する光源制御手段の例である。操作パネル８は、複数の機能のうちで、実行する機能を選択するためにキー操作する操作手段の例である。ＣＰＵ１とＲＯＭ２とは、省電力状態であるときに、キー入力操作したことを検出するキー入力操作検出手段との例であり、また、上記省電力状態であるときに、キー入力操作すると、このキー入力操作に応じた機能の初期画面に遷移する遷移制御手段の例である。
【００３９】
図３、図４は、ＭＦＰ１００のＬＣＤ２２に表示される省電力の状態から、待機状態または動作開始に移行する動作を示すフローチャートである。
【００４０】
電源投入後、ある一定時間（ＭＦＰ１００では１時間）が経過してもキー入力が無い場合、省電力状態に移行する（Ｓ１）。
【００４１】
図５は、実施例１において、ＬＣＤ２２に表示する表示画面の表示例を示す図である。
【００４２】
電源投入後に省電力状態に移行する際に、省電力状態に移行する前の動作モード（以下、「前動作モード」という）を記憶する。また、これと同時に、省電力状態（パワーセーブモード）と、前動作モード（たとえばコピーモード）とを、図５に示すように、ＬＣＤ２２に表示する。
【００４３】
そして、省電力状態であるときに何かキーが押下されたかどうかを判断し（Ｓ２、Ｓ３）、そのキーが、モード切替キー２３であれば、押下されたキーに対応するモードに切替え、押下されたキーに対応するモードの待機画面を、ＬＣＤ２２に表示する（Ｓ４）。
【００４４】
上記モード切替キー以外のキーが押下された場合、たとえばメニューキー２４が押下された場合、前動作モード（省電力状態に移行する前の動作モード）のメニュー画面を、ＬＣＤ２２に表示する（Ｓ５）。
【００４５】
また、前動作モードがコピー動作モードであるかどうかを判断し（Ｓ１０）、モノクロスタートキー３４またはカラースタートキー３５が押下されれば、コピーを開始する（Ｓ１１、Ｓ２０、Ｓ２２）。圧板の開閉を検知するためのセンサがないので、ＭＦＰ１００は、モノクロまたはカラースタートキー（３４、３５）を検知することによって、省電力状態を解除し、コピー動作を行なう。したがって、ＭＦＰ１００において、原稿を抑えるための圧板を開けて、原稿台に原稿をセットするときに、その圧板の開閉を検知する機構を設けていない場合に、実施例１は有効である。
【００４６】
前動作モードがコピーであれば、前動作モードの待機画面をＬＣＤ２２に表示する（Ｓ５）。フォトインデックスシートキー２６が押下されると（Ｓ１３）、フォトインデックスのプリントまたはスキャンの選択画面を、ＬＣＤ２２に表示する（Ｓ１７）。なお、上記フォトインデックスは、ＤＲＡＭ５に格納された画像をインデックス表示するためのインデックスである。
【００４７】
電源キー２１が押下されると、電源をＯＦＦする（Ｓ１５）。
【００４８】
テンキー３２が押下されたときに（Ｓ１２）、前動作モード、スキャナ動作モード以外のコピーモードであれば、出力枚数を設定し（Ｓ１９）、スキャナ動作モードであれば（Ｓ１８）、そのままスキャナ動作モード待機画面を、ＬＣＤ２２に表示する（Ｓ２１）。
【００４９】
上記以外のキー、つまりストップキー３３またはプラスキー２８、マイナスキー２７、セットキー２９、ディレクトリキー３０が押下された場合、前動作モードの待機画面を、ＬＣＤ２２に表示する（Ｓ６〜Ｓ９）。
【００５０】
ＭＦＰ１００では、省電力状態等からの復帰時に、図３に示す動作で制御しているが、これらに関しては、ＭＦＰ１００の機械構造や特性によって異なるので、必ずしもこの限りではない。
【００５１】
なお、上記実施例は、読取り対象である原稿を照射する光源を含む画像読取装置の全体へ電力を供給する待機状態から、上記光源への電力供給を停止する省電力状態へ遷移させる制御プログラムの例である。また、上記実施例は、上記省電力状態から上記待機状態へ復帰させる画像読取装置の制御プログラムの例である。さらに、上記実施例は、上記光源を制御する光源制御手順と、複数の機能のうちで、実行する機能を選択するキー操作であって、上記省電力状態であるときに、キー入力操作したことを検出するキー入力操作検出手順とを実行させるプログラムの例である。また、上記実施例は、上記省電力状態であるときに、キー入力操作すると、このキー入力操作に応じた機能の初期画面に遷移させる遷移制御手順を画像読取装置に実行させるプログラムの例である。また、このプログラムを、ＤＶＤ、ＨＤ、半導体メモリ等の記憶媒体に格納するようにしてもよい。
【図面の簡単な説明】
【００５２】
【図１】本発明の実施例１であるＭＦＰ１００を示すブロック図である。
【図２】ＭＦＰ１００の操作パネル８の構成を示す図である。
【図３】ＭＦＰ１００のＬＣＤ２２に表示される省電力等の状態から、待機状態または動作開始に移行する動作を示すフローチャートである。
【図４】ＭＦＰ１００のＬＣＤ２２に表示される省電力等の状態から、待機状態または動作開始に移行する動作を示すフローチャートである。
【図５】実施例１において、ＬＣＤ２２に表示する表示画面の表示例を示す図である。
【符号の説明】
【００５３】
１００…ＭＦＰ、
１…ＣＰＵ、
２…ＲＯＭ、
３…プリンタ、
４…ＳＲＡＭ、
５…ＤＲＡＭ、
６…イメージプロセッサ、
７…イメージセンサ、
８…操作パネル、
９…ディスプレイ、
１０…ＰＣ  Ｉ／Ｆ、
１１…ＰＣ、
２１…電源キー、
２２…ＬＣＤ、
２３…モード切替キー、
２４…メニューキー、
２５…ファンクションキー、
２６…フォトインデックスシートキー、
２７、２８…選択キー、
２９…セットキー、
３０…ディレクトリキー、
３１…リダイアル／ポーズキー、
３２…テンキー、
３３…ストップキー、
３４…モノクロスタートキー、
３５…カラースタートキー。
【図１】
2007194874.tif 000003
【図２】
2007194874.tif 000004
【図３】
2007194874.tif 000005
【図４】
2007194874.tif 000006
【図５】
2007194874.tif 000007